(57)【要約】      （修正有）【課題】種々のポンプを安定して設置できるとともに接合部位における水漏れを抑制できるポンプ着脱装置およびポンプシステムを提供する。【解決手段】ポンプ着脱装置３０は、設置面に固定して設置される着脱装置本体３２と、ポンプ２０に固定されて着脱装置本体に装着可能に構成された着脱フランジ４０と、着脱フランジに取り付けられる支持部材７０と、を備える。着脱装置本体は、被係止部３４と固定配管３３とを有する。着脱フランジは、当該着脱フランジが鉛直方向に移動することにより被係止部と係止する係止部４４と、ポンプの吐出口２２と固定配管とを接続するための接続配管４２と、を有する。支持部材は、ポンプの重心よりも鉛直下方において当該ポンプを支持する。【選択図】図１
2017155599.tif 000002
【特許請求の範囲】
【請求項１】
被係止部と固定配管とを有し、設置面に固定して設置される着脱装置本体と、
鉛直方向に移動することにより前記被係止部と係止する係止部と、ポンプの吐出口と前記固定配管とを接続するための接続配管と、を有し、前記ポンプに固定されて前記着脱装置本体に装着可能に構成された着脱フランジと、
前記着脱フランジに取り付けられ、前記ポンプの重心よりも鉛直下方において当該ポンプを支持する支持部材と、
を備えるポンプ着脱装置。
【請求項２】
前記支持部材は、前記着脱部材から前記ポンプの重心位置を超えて水平に延在する、
請求項１に記載のポンプ着脱装置。
【請求項３】
前記支持部材は、前記着脱フランジが前記着脱装置本体に装着されたときに、鉛直方向における前記固定配管の中央よりも鉛直下方において前記ポンプを支持する、
請求項１又は２に記載のポンプ着脱装置。
【請求項４】
請求項１から３の何れか１項に記載のポンプ着脱装置と、
ポンプと、
を備えるポンプシステム。
【発明の詳細な説明】
【技術分野】
【０００１】
本発明は、ポンプ着脱装置、及び、ポンプシステムに関する。
【背景技術】
【０００２】
ポンプを据え付けるために、ポンプ着脱装置が使用される場合がある。例えば、下水道に用いられる汚水用ポンプは、汚水によって詰まり等が生じやすいと共に設置場所に有毒ガスが発生する場合もあるため、作業員が容易にポンプの設置および交換が可能なようにポンプ着脱装置が使用される。従来、ポンプ着脱装置としては、予め設置場所に固定されて固定配管を支持する着脱装置本体と、ポンプに取り付けられて着脱装置本体に着脱自在に構成される着脱フランジと、を備えるものが知られている（例えば特許文献１参照）。この着脱装置では、着脱フランジに下方へ開口したフックが設けられ、着脱装置本体にフックと係合する係止棒が設けられている。そして、フックと係止棒とが係止するようにポンプ及び着脱フランジが鉛直下方に降ろされることで、着脱フランジが着脱装置本体に装着され、ポンプが設置場所に設置される。このときには、ポンプの自重によって着脱フランジと着脱装置本体との装着が維持される。ポンプを交換するときには、ポンプ及び着脱フランジを鉛直上方に吊り上げることで、着脱装置本体と着脱フランジとの装着が解除され、ポンプを容易に交換することができる。
【先行技術文献】
【特許文献】
【０００３】
【特許文献１】特開平１１−３０１９８号公報
【発明の概要】
【発明が解決しようとする課題】
【０００４】
一般に、汚水用ポンプは、ポンプの吸込口が下方に設けられるとともに吐出口が側方に設けられ、着脱装置本体の固定配管は、ポンプの吐出口の高さに合わせて設計される。一方、マンション等の建物に給水するための給水ポンプ、及び、浄水施設等に設置される清水用水中ポンプを、ポンプ着脱装置を用いて据え付けることが望まれる場合もある。しかし、清水用水中ポンプには、鉛直方向に大きい寸法を有するとともにポンプの吐出口が上方に設けられるものがある。こうした場合には、ポンプ着脱装置を用いて清水用水中ポンプを据え付けるには、清水用水中ポンプの吐出口と着脱フランジとをエルボ管を含む配管で接続する必要がある。しかし、エルボ管を含む配管だけで清水用水中ポンプを支持すると、清水用水中ポンプの重心が高いため設置が不安定となる。また、上記したように、ポンプ着脱装置ではポンプの自重によって着脱フランジと着脱装置本体との装着が維持される。しかし、清水用水中ポンプは揚程が大きいとともにエルボ管を含む配管の撓みなどが影響して、ポンプからの吐出によって着脱フランジと着脱装置本体との合わせ面が開いて水が漏れるおそれがある。
【０００５】
本発明は、上述した事情に鑑みてなされたもので、種々のポンプを安定して設置できるとともに接合部位における水漏れを抑制できるポンプ着脱装置およびポンプシステムを提供することを目的とする。
【課題を解決するための手段】
【０００６】
本発明のポンプ着脱装置は、設置面に固定して設置される着脱装置本体と、ポンプに固定されて着脱装置本体に装着可能に構成された着脱フランジと、着脱フランジに取り付けられる支持部材と、を備える。着脱装置本体は、被係止部と固定配管とを有する。着脱フランジは、当該着脱フランジが鉛直方向に移動することにより被係止部と係止する係止部
と、ポンプの吐出口と固定配管とを接続するための接続配管と、を有する。支持部材は、ポンプの重心よりも鉛直下方において当該ポンプを支持する。
【０００７】
かかる構成により、本発明のポンプ着脱装置は、ポンプおよび着脱フランジを鉛直方向に移動させることによって着脱装置本体に対してポンプを着脱できる。そして、着脱フランジには、ポンプの重心よりも鉛直下方において当該ポンプを支持する支持部材が取り付けられる。このため、ポンプの重心が高い場合、及びポンプの重心が着脱フランジから遠い場合であっても、支持部材によりポンプを支持してポンプを安定して設置することができる。また、着脱フランジと着脱装置本体との接合部位に、支持部材を介してポンプの重さを作用させることができ、接合部位における水漏れを抑制できる。
【０００８】
また、支持部材は、着脱部材からポンプの重心位置を超えて水平に延在してもよい。さらに、支持部材は、着脱フランジが着脱装置本体に装着されたときに、鉛直方向における固定配管の中央よりも鉛直下方においてポンプを支持してもよい。
こうすれば、支持部材によってポンプをより安定して支持することができる。
【０００９】
本発明のポンプシステムは、本発明のポンプ着脱装置と、ポンプと、を備える。
かかる構成により、本発明のポンプシステムは、本発明のポンプ着脱装置を備えるため、本発明のポンプ着脱装置と同様の効果を奏することができる。
【図面の簡単な説明】
【００１０】
【図１】本発明の一実施形態に係るポンプシステムを示す模式図である。
【図２】着脱フランジと着脱装置本体とが取り外されたときのポンプシステムを示す模式図である。
【図３】変形例のポンプシステムを示す模式図である。
【発明を実施するための形態】
【００１１】
以下、本発明の一実施形態に係るポンプ着脱装置およびポンプシステムを図面に基づいて説明する。以下では、ポンプシステムの一例として、浄水施設などに設置される清水用ポンプを備えるポンプシステムを説明するが、これには限られない。例えば、下水道などに使用される汚水ポンプに適用してもよいし、建物に給水するための給水ポンプに適用してもよい。
【００１２】
図１は、本発明の一実施形態に係るポンプシステムを示す模式図であり、図２は、着脱フランジと着脱装置本体とが取り外されたときのポンプシステムを示す模式図である。なお、図２では、後述する着脱フランジ４０にハッチングを付している。図示するように、実施形態のポンプシステム１０は、水を移送するためのポンプ２０と、ポンプ２０を着脱自在に支持するための着脱装置３０と、を備えている。このポンプシステム１０は、本実施形態では浄水施設に設けられたポンプ槽内に設置されるが、こうした例に限定されず、ポンプ２０の用途に応じた場所に設置されればよい。
【００１３】
ポンプ２０は、本実施形態では、水中ポンプとして構成されている。ポンプ２０は、鉛直下方の側面に吸込口２１を有するとともに、鉛直上方に吐出口２２を有し、汚水用ポンプ等と比べて重心Ｇｐが高い構成となっている。ただし、こうした例に限定されず、吸込口２１および吐出口２２はポンプ２０の任意の場所に設けられればよい。ポンプ２０は、ポンプ２０の内部に収容されたモータ（不図示）からの動力によって内部の羽根車（不図示）を回転させ、吸込口２１から水を吸い込んで吐出口２２から水を吐出する。本実施形態では、モータは、羽根車の上方に設けられて鉛直方向に沿った回転軸を有するものとしたが、こうした例に限定されない。また、ポンプ２０の上部には、吊り具（不図示）を取り付けるための取付部２４が設けられている。吊り具は例えばチェーンであり、ポンプ２
０は吊り具により吊り下げられて鉛直方向に移動できる。
【００１４】
着脱装置３０は、設置面Ｍｓに固定して設置される着脱装置本体３２と、ポンプ２０に固定される着脱フランジ４０と、着脱フランジ４０に取り付けられる支持部材７０と、を備える。着脱装置本体３２は、ポンプ２０を設置したい場所に応じて、予め設置面Ｍｓにアンカーボルト止め等で固定される。着脱装置本体３２は、固定配管３３を有し、着脱装置本体３２が設置面Ｍｓに固定されることにより固定配管３３はポンプ槽内に固定される。固定配管３３は、水平方向に伸びる流路を画定する。なお、着脱装置本体３２は、ポンプ２０の大きさなどに基づいて固定配管３３が所望の位置に固定されるように架台３６の高さなどが定められればよい。本実施形態では、固定配管３３は、エルボ配管５０に接続され、エルボ配管５０を介して図示しない排水管に接続される。
【００１５】
また、着脱装置本体３２には、着脱フランジ４０と係止するための被係止部３４が設けられている。本実施形態では、被係止部３４は、固定配管３３から鉛直上方に突出して形成されている。また、この被係止部３４の位置に対応させて、ポンプ槽には、鉛直方向に伸びるガイドレール５２が設けられている。ガイドレール５２は、例えばパイプであり、着脱装置本体３２と同様にポンプ槽に予め固定される。
【００１６】
図１及び図２に示すように、着脱フランジ４０は、ポンプ２０の吐出口２２と固定配管３３とを接続するための接続配管４２を有する。本実施形態では、接続配管４２は、着脱フランジ４０が着脱装置本体３２に装着されたときに、固定配管３３と共に水平方向に伸びる流路を画定するように構成されている。そして、本実施形態では、接続配管４２は、中継配管５１を介してポンプ２０の吐出口２２に固定されている。中継配管５１は、接続配管４２に接続される９０度のエルボ管からなる第１配管５１ａ、ポンプ２０の吐出口２２に接続される１８０度のエルボ管からなる第２配管５１ｂ、及び、第１配管５１ａ及び第２配管５１ｂを接続する鉛直方向に伸びる第３配管５１ｃを有している。接続配管４２、中継配管５１、及び、ポンプ２０の吐出口２２は、ボルト止めなどで互いに固定される。なお、配管同士の合わせ面はＯリングなどで封止されてもよい。また、本実施形態では、着脱フランジ４０は中継配管５１を介してポンプ２０の吐出口２２に固定されるものとしたが、例えば着脱フランジ４０の接続配管４２が中継配管５１を含む形状に形成されて直接にポンプ２０の吐出口２２に固定されてもよい。
【００１７】
着脱フランジ４０には、着脱装置本体３２の被係止部３４と係止するための係止部４４が設けられている。図２に示すように、係止部４４は、鉛直下方に開口したフック状になっており、被係止部３４に対して係止部４４が鉛直上方から掛かることにより、係止部４４と被係止部３４とが係止する。このときには、着脱フランジ４０の接続配管４２と着脱装置本体３２の固定配管３３とが位置合わせされ、接続配管４２と固定配管３３とが接続される。また、このときには、接続配管４２と固定配管３３との合わせ面（接合部位）に、被係止部３４を支軸としたポンプ２０の自重による力が作用する。こうした構成によって、ポンプ２０及び着脱フランジ４０を着脱装置本体３２に対して鉛直上方から降ろすことにより、着脱フランジ４０を着脱装置本体３２に装着させてポンプ２０を設置することができる。
【００１８】
また、着脱フランジ４０には、係止部４４の先端に、ガイドレール５２が挿通する孔部４７が形成されたガイド体４６が設けられている。ガイド体４６は、孔部４７にガイドレール５２が挿通されることにより、着脱フランジ４０及びポンプ２０の鉛直方向に移動をガイドする。こうしたガイドレール５２及びガイド体４６により、着脱フランジ４０と着脱装置本体３２との装着をより容易にすることができる。なお、ガイド体４６は、ガイドレール５２に案内されて着脱フランジ４０及びポンプ２０の鉛直方向の移動をガイドするものであればよく、例えば孔部４７に代えてガイドレール５２の形状に対応した凹部など
が形成されるものでもよい。
【００１９】
さらに、着脱フランジ４０には、支持部材７０が取り付けられている。支持部材７０は、ポンプ２０の重さの少なくとも一部を受けるために設けられている。支持部材７０は、例えば鋼などの剛性の高い金属で形成される。本実施形態では、支持部材７０は、水平方向に延在する底板部７２と、底板部７２から鉛直方向に延在する側板部７４と、底板部７２と側板部７４とを接続する補強部７６と、を有している。支持部材７０は、側板部７４が着脱フランジ４０とボルト止めなどで固定されることにおり、着脱フランジ４０に取り付けられている。なお、側板部７４は、着脱フランジ４０とポンプ２０の吐出口２２とに挟まれて固定され、水の流路の一部を画定してもよい。
【００２０】
本実施形態では、底板部７２は、着脱フランジ４０からポンプ２０の重心Ｇｐを超えて水平方向に延在し、その上面にポンプ２０が載置される。これにより、支持部材７０は、中継配管５１と共にポンプ２０を支持する。ただし、支持部材７０は、ポンプ２０のすべての重さを受けてもよい。さらに、本実施形態では、底板部７２は、ポンプ２０と直接には固定されず中継配管５１が撓むことによってポンプ２０の重さを受けるものとした。ただし、こうした例に限定されず、底板部７２はポンプ２０とボルト止めなどで締結（固定）されてポンプ２０を支持してもよい。また、底板部７２は、ポンプ２０の吸込口２１又は吐出口２２がポンプ２０の底に設けられる場合などには、吸込口２１又は吐出口２２に対応した孔が形成されてもよい。
【００２１】
また、本実施形態では、底板部７２は、着脱フランジ４０が着脱装置本体３２に装着されたときに、鉛直方向における固定配管３３の中央Ｃｐよりも鉛直下方に位置する。これにより、固定配管３３の中央Ｃｐよりも鉛直下方において、ポンプ２０の重量を着脱フランジ４０と着脱装置本体３２との接合部位に作用させることができ、接合部位における水漏れを抑制できる。なお、支持部材７０は、ポンプ２０の底面を底板部７２が支持するものに限定されず、例えばポンプ２０の側面に固定されてポンプ２０を支持してもよい。この場合には、ポンプ２０が安定して支持されるように、支持部材７０はポンプ２０の重心Ｇｐよりも鉛直下方においてポンプ２０を支持することが好ましい。また、支持部材７０は、ポンプ２０を支持できるものであればよく、底板部７２と側板部７４とを有するものに限定されず、任意の形状に形成されてよい。
【００２２】
補強部７６は、底板部７２と側板部７４との接続位置とは異なる位置において底板部７２と側板部７４とに接続される。これにより、支持部材７０の剛性が高くなる。ただし、支持部材７０には、こうした補強部７６が設けられなくてもよい。また、底板部７２と側板部７４とには、複数の補強部が接続されてもよい。
【００２３】
以上説明した実施形態のポンプシステム１０及び着脱装置３０によれば、着脱フランジ４０に支持部材７０が取り付けられ、この支持部材７０がポンプ２０の重心Ｇｐよりも鉛直下方においてポンプ２０を支持する。このため、例えば重心が高い位置に位置するポンプや、重心が接合部位から離れた位置に位置するポンプであっても、着脱装置３０によってポンプを安定して支持できるとともに接合部位における水漏れを抑制できる。
【００２４】
（変形例）
図３は、変形例のポンプシステムを示す模式図である。変形例のポンプシステム１０Ａでは、実施形態のポンプ２０が横置きに配置されており、ポンプ２０の重心Ｇｐが固定配管３３と接続配管４２との接合位置から離れて位置している。そして、変形例では、横置きのポンプ２０の全長にわたって支持部材７０Ａの底板部７２Ａが水平に延在し、ポンプ２０が数カ所（図３に示す例では３カ所）で底板部７２Ａの上面に支持されている。こうした変形例のポンプシステム１０Ａにおいても、横置きのポンプ２０が支持部材７０Ａに
よって支持されるので、ポンプ２０が安定して支持される。また、支持部材７０Ａを介してポンプ２０の重さが着脱装置本体３２と着脱フランジ４０との接合部位に作用するので、接合部位における水漏れを抑制できる。
【００２５】
以上、本発明の実施の形態について説明してきたが、上記した発明の実施の形態は、本発明の理解を容易にするためのものであり、本発明を限定するものではない。本発明は、その趣旨を逸脱することなく、変更、改良され得るとともに、本発明にはその均等物が含まれることはもちろんである。また、上述した課題の少なくとも一部を解決できる範囲、または、効果の少なくとも一部を奏する範囲において、実施形態および変形例の任意の組み合わせが可能であり、特許請求の範囲および明細書に記載された各構成要素の任意の組み合わせ、または、省略が可能である。
【符号の説明】
【００２６】
Ｍｓ…設置面
１０、１０Ａ…ポンプシステム
２０…ポンプ
２１…吸込口
２２…吐出口
２４…取付部
３０…着脱装置
３２…着脱装置本体
３３…固定配管
３４…被係止部
３６…架台
４０…着脱フランジ
４２…接続配管
４４…係止部
４６…ガイド体
４７…孔部
４８…封止用部材
４９…突出部
５０…エルボ配管
５１…中継配管
５２…ガイドレール
７０、７０Ａ…支持部材
７２、７２Ａ…底板部
７４…側板部
７６…補強部
【図１】
2017155599.tif 000003
【図２】
2017155599.tif 000004
【図３】
2017155599.tif 000005